(57)【要約】【課題】排尿時の洗浄水を確実に流すことができると共に、排尿の飛散を防止できる新規な男性用便器の提供。【解決手段】便器本体１０の開口部１０ａ上部に前もたれ体３０を可動自在に設けると共に、その前もたれ体３０とフラッシュバルブ２０を連結部材４０で連結する。これによって、利用者が前もたれ体に対して前方に寄りかかるだけでフラッシュバルブ２０が作動して洗浄水が便器本体１０内に流れるようになるため、洗浄水の使用頻度が高まる。また、利用者が便器本体１０に近づくため、排尿の飛散も防止できる。【選択図】図１
2019124057.tif 000002
【特許請求の範囲】
【請求項１】
前面に放尿用の開口部を有する縦型箱状の便器本体と、当該便器本体に洗浄水を流すフラッシュバルブとを備えた男性用便器であって、
前記便器本体の開口部上部に、利用者側が前方に寄りかかるための前もたれ体を可動自在に設けると共に、前記前もたれ体と前記フラッシュバルブの作動部を連結部材で連結したことを特徴とする男性用便器。
【請求項２】
請求項１に記載の男性用便器において、前記便器本体の頂面部にのぞき窓を設けたことを特徴とする男性用便器。
【請求項３】
請求項１または２に記載の男性用便器において、前記連結部材を前記のぞき窓の周縁部に沿って延びるように設けたことを特徴とする男性用便器。
【発明の詳細な説明】
【技術分野】
【０００１】
本発明は、主に駅や観光地、公園などに設置されて不特定多数に利用される男性用便器に関する。
【背景技術】
【０００２】
公衆トイレのように不特定多数が利用する男性用便器は、排尿の一部がそのまま足元に滴り落ちたり飛び散ったりして床が汚れることが多く、この汚れが悪臭の原因となっている。これは利用者が便器から離れていたり腰が引けている状態で排尿しているのが原因と考えられる。このため、利用者にできるだけ便器に近づいた状態で排尿してもらうために従来から様々な提案がなされている。
【０００３】
例えば、以下の特許文献１では、便器にディスプレイなどの電子機器とセンサーを設け、利用者が便器に近づいたときに電子機器が作動して音楽や映像などが流れるようにすることで利用者が便器に近づくような動機付けの仕組みを提供している。また、以下の特許文献２では、小便器が縦長のスリム形状で立ち位置の邪魔にならないようにタレ受け部下側が奥側に斜め形状とすることで放尿者の尿放出位置を小便器になるべく近づけさせるようにしている。
【０００４】
また、以下の特許文献３では、男性用小便器の前方床面に敷くマットに足形を形成すると共にその足形にそれぞれ反対方向の傾斜を設けることで小便終了時に腰がひけないようして小便が飛散するのを防止している。また、以下の特許文献４では、小便器の尿を受ける面にハエの模型を取り付けることで利用者が便器の近くに立って排尿することを促すようにしている。
【先行技術文献】
【特許文献】
【０００５】
【特許文献１】特開２０１６−９８６４０号公報
【特許文献２】実用新案登録第３２１２１９４号公報
【特許文献３】実用新案登録第３０８５４６３号公報
【特許文献４】特開２０１２−１５３３４号公報
【発明の概要】
【発明が解決しようとする課題】
【０００６】
ところで、従来の男性用便器は、尿汚れの付着防止や臭い発生の抑制などのために使用前後に便器内に一定量の洗浄水（水道水）が流れる仕様となっているものが多い。このような洗浄水を流す方式としては、利用者が使用前後に便器上部などに設けられたフラッシュバルブ用の押しボタンを押すことで一定量の洗浄水が流れるものや、人感センサーが利用者を感知したときに自動的に洗浄水が流れるものなどが一般的である。
【０００７】
しかしながら、押しボタン式のものは利用者が排尿前後にそのまま素手で押す必要があることから不潔感が拭えず、利用されないことが多い。一方、人感センサー式のものは、直接触れることがないため衛生的であるが、利用者がある程度便器に近づかないと感知しないことがあり、さらに停電時にはまったく使用できないという欠点がある。
【０００８】
そこで、本発明はこれらの課題を解決するために案出されたものであり、その目的は、排尿時の洗浄水を確実に流すことができると共に、排尿の飛散を防止できる新規な男性用便器を提供することにある。
【課題を解決するための手段】
【０００９】
前記課題を解決するために第１の発明は、前面に放尿用の開口部を有する縦型箱状の便器本体と、当該便器本体に洗浄水を流すフラッシュバルブとを備えた男性用便器であって、前記便器本体の開口部上部に、利用者側が前方に寄りかかるための前もたれ体を可動自在に設けると共に、前記前もたれ体と前記フラッシュバルブの作動部を連結部材で連結したことを特徴とする男性用便器である。
【００１０】
このような構成によれば、排尿時に利用者が便器本体に近づいてその開口部上部に設けた前もたれ体に対して前方に寄りかかるように触れるだけでフラッシュバルブが作動して洗浄水が便器本体内に流れるようになる。そして、この前もたれ体には利用者の胸や上腕などの部分が洋服などを介して間接的に触れることになるため、押しボタンのように直接素手で触れるような不潔感も少ないことから使用頻度が高まる。
【００１１】
さらに、この前もたれ体に寄りかかるためには利用者が便器本体に近づく必要があるため、排尿が床面に飛び散り難くなって床面を尿で汚す頻度も少なくなる。また、排尿の間ずっと前もたれ体に寄りかかっていれば、フラッシュバルブによって排尿時から排尿後しばらくの間は洗浄水が流れ続けるため、便器本体への尿汚れの付着や臭いの発生を効果的に抑制することができる。
【００１２】
第２の発明は、第１の発明において、前記便器本体の頂面部にのぞき窓を設けたことを特徴とする男性用便器である。第１の発明のように利用者が前もたれ体に寄りかかったままで排尿した場合には、利用者から手元が見づらくなってしまう可能性があるが、このように便器本体の頂面部にのぞき窓を設ければ、利用者が支持体に寄りかかった状態でもそのまま俯くように視線を落とすだけでその手元や排尿状態を容易に視認することができる。
【００１３】
第３の発明は、第１または第２の発明において、前記連結部材を前記のぞき窓の周縁部に沿って延びるように設けたことを特徴とする男性用便器である。このような構成によれば、連結部材がのぞき窓の視界を遮ることがなく、良好な視認性を確保できる。
【発明の効果】
【００１４】
本発明によれば、排尿時に利用者が便器本体に近づいてその開口部上部に設けた前もたれ体に対して寄りかかるように体を触れることでフラッシュバルブが作動して洗浄水が流れるようになる。このため、従来のように素手でフラッシュバルブの押しボタンを押すような動作が不要となるため、排尿時の洗浄水を確実に流すことができる。また、体が便器本体に近づくことにより排尿の飛散を確実に防止できる。
【図面の簡単な説明】
【００１５】
【図１】本発明に係る男性用便器１００の実施の一形態を示す斜視図である。
【図２】本発明に係る男性用便器１００の要部を示す側面図である。
【図３】本発明に係る男性用便器１００の使用例を示す説明図である。
【図４】従来の男性用便器の使用例を示す説明図である。
【図５】本発明に係る男性用便器１００の他の実施形態を示す斜視図である。
【図６】本発明に係る男性用便器１００の他の実施形態を示す平面図である。
【発明を実施するための形態】
【００１６】
以下、本発明の実施の形態を添付図面を参照しながら説明する。図１乃至図３は、本発明に係る男性用便器１００の実施の一形態を示したものである。図示するようにこの男性用便器１００は、縦型箱状をした陶器製の便器本体１０と、この便器本体１０に洗浄水を流すフラッシュバルブ２０と、前もたれ体３０とから主に構成されている。
【００１７】
便器本体１０は、壁面Ｗから延びる一対の側板部１１、１１と、この側板部１１、１１間の壁面Ｗ側を連結する正面板１２と、この側板部１１、１１および正面板１２の底部に位置する尿受け部１３と、側板部１１、１１および正面板１２の頂部間を連結する頂面部１４とから構成されており、この側板部１１、１１と正面板１２と尿受け部１３とによって前面に放尿用の縦長の開口部１０ａが形成されている。
【００１８】
フラッシュバルブ２０は、従来公知の物と同じく、この便器本体１０の頂面部１４から壁面Ｗに亘って設けられており、図２に示すように壁面Ｗ側の給水口Ｓ１と便器本体１０の頂面部１４に設けられた吐出口Ｓ２とを接続する金属製のバルブ本体２１に、ピストン部２２を内蔵すると共に、チャッキスピンドル２３と調整スピンドル２４と、作動部２５（従来の押しボタンに相当）とを順に設けた構成となっている。そして、この作動部２５を前もたれ体３０で操作（押圧）している間、および操作した後一定時間、一定量の洗浄水（水道水）を、便器本体１０の内側に沿って流すようになっている。
【００１９】
前もたれ体３０は、開口部１０ａの上部に位置するように設けられており、便器本体１０の頂面部１４前方に位置する横棒体３１と、この横棒体３１を側板部１１、１１側に連結支持する一対の支持棒体３２，３２とから構成されている。この支持棒体３２，３２の各端部は、側板部１１、１１側と直角に屈曲してその側板部１１、１１を貫通するように連結されており、図２に示すようにその貫通部Ｒを軸として支持棒体３２，３２および横棒体３１が便器本体１０の前後方向に可動自在となっている。
【００２０】
そして、同図に示すようにこの前もたれ体３０の横棒体３１と、前記フラッシュバルブ２０の作動部２５との間は、棒状の連結部材４０で連結されており、前もたれ体３０と連動して作動部２５を操作するようになっている。すなわち、図示するように前もたれ体３０の横棒体３１を押すと、棒状の連結部材４０を介してフラッシュバルブ２０の作動部２５が作動して洗浄水が流れ、横棒体３１から離れると作動部２５の反発力によって横棒体３１が元の位置に戻るようになっている。
【００２１】
このような構成をした本発明に係る男性用便器１００にあっては、図３に示すように排尿時に利用者が便器本体１０に近づいてその開口部１０ａ上部に設けられた前もたれ体３０に対して前方に寄りかかるように触れる。すると、図２に示すように前もたれ体３０の横棒体３１が前方に動いて棒状の連結部材４０が押されてフラッシュバルブ２０が作動し、洗浄水が便器本体１０内に流れるようになる。そして、この前もたれ体３０には利用者の胸や上腕などの部分が洋服などを介して間接的に触れることになるため、従来の押しボタンのように直接素手で触れるような不潔感も少ないことから使用頻度も大幅に高まる。
【００２２】
さらに、この前もたれ体３０に寄りかかるためには利用者が便器本体１０に近づく必要があるため、排尿が床面に飛び散り難くなって床面を尿で汚す頻度も少なくなる。また、便器本体１０に近づくことから横からも覗かれ難くなる。図４の従来例では便器本体１０と利用者との距離は利用者の意識次第であるため、利用者が意識的に便器本体１０に近づかないと尿が便器本体１０内に収まらず、周囲に飛散したり、滴り落ちてしまうことがあったが、本発明ではこれを効果的に防止できる。
【００２３】
また、排尿の間ずっと前もたれ体３０に寄りかかっていれば、フラッシュバルブ２０によって排尿時から排尿後しばらくの間は洗浄水が流れ続けるため、便器本体１０への尿汚れの付着や臭いの発生を効果的に抑制することができる。また、泥酔者などの場合は、前もたれ体３０に寄りかかることにより、姿勢も安定するため、尿の飛散をより効果的に防止できる。なお、この前もたれ体３０を利用者の胸部や上腕部で操作する他に直接素手で操作したり、頭や肩で操作するようにしても良い。
【００２４】
次に、図５および図６は、本発明に係る男性用便器１００の他の実施の形態を示したものである。図示するように本実施の形態では、便器本体１０の頂面部１４にのぞき窓５０を形成したものである。前記実施の形態のように利用者が前もたれ体３０に寄りかかったままで排尿した場合には、利用者から手元が見づらくなってしまう可能性があるが、このように便器本体１０の頂面部１４にのぞき窓５０を設ければ、利用者が横棒体３１に寄りかかった状態でもそのまま俯くように視線を落とすだけでその手元や排尿状態を容易に視認することができる。
【００２５】
図の例では便器本体１０の頂面部１４に利用者側から半円状に切り欠いたのぞき窓５０を形成したが、その形状は特に限定されるものでなく、円形や多角形の他、多数の孔を穿孔したパンチングメタルや透明ガラスのようなものであっても良い。
【００２６】
また、このように便器本体１０の頂面部１４にのぞき窓５０を形成した場合には、図示するように前もたれ体３０とフラッシュバルブ２０を連結する連結部材４０をのぞき窓５０の周縁部に沿って延びるように設ければ、連結部材４０がのぞき窓５０の視界を遮ることがなく、良好な視認性を確保できる。図の例では、半円状ののぞき窓５０の縁部に沿って延びるように湾曲させた連結部材４０を用いているが、Ｙ字形やコ字形に屈曲させたものであっても良い。
【符号の説明】
【００２７】
１００…男性用便器
１０…便器本体
１０ａ…開口部
１４…頂面部
２０…フラッシュバルブ
２５…作動部
３０…前もたれ体
３１…横棒体
３２…支持棒体
４０…連結部材
５０…のぞき窓
Ｒ…貫通部
Ｗ…壁面
【図１】
2019124057.tif 000003
【図２】
2019124057.tif 000004
【図３】
2019124057.tif 000005
【図４】
2019124057.tif 000006
【図５】
2019124057.tif 000007
【図６】
2019124057.tif 000008